(57)【要約】【課題】パック詰めや袋詰めを行うことなく、散水パーツ等の商品を吊り下げて展示することを可能にし、かつ、きわめて簡単な構成で商品情報を提供する。【解決手段】商品タグ１０は、陳列用フック１７に掛け止められる札板１２を有する。札板１２の下方には吊り材１３が延び、この吊り材１３に商品としての散水パーツ２０が吊り下げられる。札板１２には、商品情報を記載した冊子Ｂを保持する枠であって、札板１２の貫通窓Ｗの周辺部に射出成形によって形成される爪枠２１Ａ、２１Ｂ、２１Ｃが設けられる。札板１２の板面には、爪枠２１Ａ、２１Ｂ、２１Ｃから所定間隔を保って突起２３を設けるとよい。【選択図】　　　図１
2004126243.tif 000002
【特許請求の範囲】
【請求項１】
陳列用フックに掛け止められる札板に商品を吊り下げて展示するようにした商品タグにおいて、前記札板には、商品情報を記載した冊子を保持する枠であって、前記札板の貫通窓の周辺部に形成される爪枠が設けられることを特徴とする商品タグ。
【請求項２】
前記札板の板面に、前記爪枠から所定間隔を保って突起が設けられる、請求項１記載の商品タグ。
【請求項３】
前記爪枠が、冊子の下端部を支持する下枠と、冊子の左右端部を支持する右枠および左枠とからなる、請求項１または２記載の商品タグ。
【請求項４】
前記爪枠が、冊子の上下端部を支持する上枠および下枠と、冊子の左右端部のいずれか一方を支持する右枠または左枠とからなる、請求項１または２記載の商品タグ。
【発明の詳細な説明】
【０００１】
【発明の属する技術分野】
本発明は、商品タグに関するもので、詳しくは、散水パーツ等の商品を吊り下げて展示するのに適した商品タグに関するものである。
【０００２】
【従来の技術】
散水ノズル、ホースリール等の散水具は、ホームセンター等の量販店で取り扱われることが多い。これに伴ってホースジョイント、パイプ等の各種散水パーツが店頭で展示販売されるようになっている。
従来、このような散水パーツの展示形態としては、透明な剛性プラスチックフィルムで製品を覆い（ブリスターパック）、台紙の上にパック品を取り付けて陳列棚に吊り下げて展示するのが一般的である。しかしながら、このような展示方法では、フィルムや台紙の加工にコストがかかり、また、商品が嵩張るため、売り場スペースが狭くなってしまう問題があった。
【０００３】
これに対し、陳列用フックに札板を掛け止め、この札板に商品を吊り下げるようにした商品タグが提案されている（特許文献１，２）。このような商品タグを使用すれば、パック詰めや袋詰めを行うことなく、散水パーツ等の商品を吊り下げて展示することが可能になる。
【０００４】
【特許文献１】
特開平１１−１４７５６５号公報
【特許文献２】
特開２０００−２６７５７１号公報
【０００５】
【発明が解決しようとする課題】
ところが、散水パーツのように使用方法や形態が多岐にわたる商品を販売する場合には、取扱説明等の商品情報を購入者に提供する必要がある。このような情報を商品タグに直接表示することも考えられるが、表示面積が制限されるため、情報量が不十分になりやすい。
本発明は、このような現状に鑑みなされたもので、パック詰めや袋詰めを行うことなく、散水パーツ等の商品を吊り下げて展示することを可能にし、しかも、製造コストのかかりにくい、きわめて簡単な構成で商品情報を提供することを可能にした商品タグを提供することを目的としている。
【０００６】
【課題を解決するための手段】
前記課題を解決するために本発明の商品タグは、陳列用フックに掛け止められる札板に商品を吊り下げて展示するようにした商品タグにおいて、前記札板には、商品情報を記載した冊子を保持する枠であって、前記札板の貫通窓の周辺部に形成される爪枠が設けられることを特徴としている。
【０００７】
本発明の商品タグを使用する場合、札板に商品を取り付け、商品情報を記載した冊子を爪枠で保持する。陳列用フックに札板を掛け止めると、商品および冊子を同時に吊り下げて展示することが可能になる。商品の購入者は、冊子を見ることで、商品情報を正確に知ることができる。
また、本発明によれば、購入者に提供する情報量が増えるため、宣伝広告等の媒体として商品タグを利用することもできる。
さらに、札板には、爪枠の周辺部分に貫通窓が形成されるため、札板の裏側からでも、貫通窓を通して冊子を存在を確認することができ、購入者に注意を促しやすい。
なお、前記冊子は、商品情報を表示可能な書物を意味し、例えば、とじ本やカードの形態の書物を含む。また、紙片を矩形等に折り畳んだものにしてもよい。
【０００８】
前記札板の貫通窓の周辺部に前記爪枠を設けたのは、射出成形によって爪枠を形成しやすくするためである。爪枠の周辺部に貫通窓が存在しない場合、コアとキャビティの二つの金型で成形しようとすると、成形金型がアンダーカットになるために、爪枠が邪魔になって型から成形品を抜き取ることができない。これを回避するには、スライド型等の複雑な型構成が必要になる。
これに対し、爪枠の周辺部に貫通窓を設けると、貫通窓にコア型を通すことができるため、型構成が単純になる。また、コアとキャビティの二つの金型で多数個を同時に成形することができ、成形サイクル効率が高まる。さらに、金型の保守も容易になり、低コストで手軽に商品タグを製造することが可能になる。
【０００９】
本発明の商品タグは、前記札板の板面に、前記爪枠から所定間隔を保って突起を設けるとよい。
前記爪枠に冊子を保持する場合、冊子の厚みが小さいと、爪枠から冊子が脱落しやすくなる。札板の板面に突起を設けると、この突起が冊子に当たるため、冊子が札板の前方に押される。この結果、爪枠の冊子を押さえる保持力が高まり、冊子が爪枠からの脱落しにくくなる。
【００１０】
前記爪枠は、冊子の周端部の少なくとも一部を支持するものであればよく、位置や形状は限定されない。例えば、前記爪枠が、冊子の下端部を支持する下枠と、冊子の左右端部を支持する右枠および左枠とからなる構成では、札板の上方から冊子を爪枠に差し込むことができる。また、前記爪枠が、冊子の上下端部を支持する上枠および下枠と、冊子の左右端部のいずれか一方を支持する右枠または左枠とからなる構成では、札板の左右いずれかの方向から冊子を爪枠に差し込むことができる。
【００１１】
【発明の実施の形態】
以下、本発明の実施の形態を図面に基づいて説明する。
図１は、本発明の第１実施形態を示す斜視図である。図１に示すように、商品タグ１０は、札板１２の下方に棒状の吊り材１３が設けられる。吊り材１３には展示用の商品として散水パーツ２０が取り付けられている。
【００１２】
札板１２の上部には、陳列用フック１７に商品タグ１０を引っ掛けるための掛止孔Ｈ１が形成される。掛止孔Ｈ１は、吊り材１３のほぼ中心軸線上に配置される。これにより、陳列具１０に散水パーツ２０を取り付けて陳列フック１７に吊り下げると、吊り材１３がほぼ垂直に保たれ、散水パーツ２０を安定して保持することが可能になる。
【００１３】
吊り材１３の下端には、係止部１４が形成される。係止部１４には円盤形の止めリング１５が係止される。散水パーツ２０の筒孔に吊り材１３を通し、係止部１４に止めリング１５を係止すると、散水パーツ２０が止めリング１５に支持され、吊り材１３に吊り下げられる。
【００１４】
図３に示すように、係止部１４は、吊り材１３の所定の長さ位置に複数設けられている（係止部１４Ａ、１４Ｂ、１４Ｃ）。係止部１４Ｂおよび１４Ｃの直ぐ下方には、吊り材１３の外周面に周方向に連なる長さ調節溝Ｍ１、Ｍ２が形成される。この長さ調節溝Ｍ１、Ｍ２を境に吊下部１３を折り曲げると、係止部１４Ｂ、１４Ｃの直ぐ下の位置で吊り材１３を簡単に分断することができる。
このように吊り材１３の長さを調節した後、吊り材１３に散水パーツ２０を取り付け、最適位置の係止部に止めリング１５を係止すると、吊り材１３の露出部分を目立たせることなく、陳列具１０に散水パーツ２０を吊り下げることができる。
【００１５】
図５に示すように、係止部１４Ａ、１４Ｂ、１４Ｃの側面は、下方に行くに従ってしだいに外径が小さくなるテーパ面である。このテーパ面の上端には係止部１４Ａ、１４Ｂ、１４Ｃの頂面（係止面）が連なる。この頂面は、吊り材１３の吊り下げ方向に対し水平になっている。
止めリング１５には、係止部１４Ａ、１４Ｂ、１４Ｃに嵌合可能なリング孔Ｈ２が形成される。リング孔Ｈ２の内径は、係止部１４Ａ、１４Ｂ、１４Ｃの頂面の外径よりも小さく、吊り材１３の外径よりもやや大きい。リング孔Ｈ２に係止部１４Ａ、１４Ｂ、１４Ｃを嵌合すると、止めリング１５の内径部がテーパ面を加圧する。
【００１６】
図３に示すように、吊り材１３の長さ方向には、分割スリットＳ１、Ｓ２、Ｓ３が形成される。分割スリットＳ１、Ｓ２、Ｓ３は、吊り材１３の中心軸に沿って貫通し、互いに向き合う分割片を形成している。係止部１４Ａ、１４Ｂ、１４Ｃが止めリング１５により径方向内側に加圧されると、分割片同士が内側に撓み、分割スリットＳ１、Ｓ２、Ｓ３を閉じて係止部１４Ａ、１４Ｂ、１４Ｃの外径を小さくする。これにより、係止部１４Ａ、１４Ｂ、１４Ｃのテーパ面を超えて吊り材１３側に止めリング１５を弾性嵌合することが可能になる。
【００１７】
図１および図２に示すように、札板１２には、爪枠２１Ａ、２１Ｂ、２１Ｃが設けられる。札板１２の下端部に下枠２１Ａが設けられ、左右両端部に右枠２１Ｂ、左枠２１Ｃが設けられている。これらの下枠２１Ａ、右枠２１Ｂおよび左枠２１Ｃに冊子Ｂが保持される。冊子Ｂには、散水パーツ２０の取扱説明等の商品情報が記載される。
各爪枠２１Ａ、２１Ｂ、２１Ｃは、札板１２の貫通窓Ｗの周辺部に形成される（図４参照）。札板１２の板面から抜き勾配（抜きテーパ）を設けてほぼ垂直に立上部２１ａが延び、その先端に押さえ部２１ｂが延びている。押さえ部２１ｂと札板１２の板面は、ほぼ平行な位置関係にある。札板１２の板面を正面側（図４下方）から見ると、押さえ部２１ｂと貫通窓Ｗとが重なる位置になる。
【００１８】
図１に示すように、下枠２１Ａの押さえ部２１ｂは上向きに延びている。一方、右枠２１Ｂ、左枠２１Ｃの押さえ部２１ｂは左右に向き合って延びている。これにより、下枠２１Ａ、右枠２１Ｂおよび左枠２１Ｃの押さえ部２１ｂにより冊子Ｂの周端部が押さえられる（図３参照）。
【００１９】
札板１２の板面には、下枠２１Ａと対向する位置に突起２３が設けられている（図１参照）。突起２３の高さは、爪枠２１Ａ、２１Ｂ、２１Ｃよりも小さい。爪枠２１Ａ、２１Ｂ、２１Ｃに冊子Ｂを保持する場合、冊子Ｂが突起２３に載り上げて爪枠２１Ａ、２１Ｂ、２１Ｃに収まる。すなわち、爪枠２１Ａ、２１Ｂ、２１Ｃと突起２３との間に冊子Ｂが撓んだ状態で挟持されることになる。これにより、輸送時などに振動や衝撃があっても、爪枠２１Ａ、２１Ｂ、２１Ｃから冊子Ｂが容易に抜けなくなる。
【００２０】
陳列具１０の製法は、射出成形によることが望ましい。札板２１には、爪枠２１Ａ、２１Ｂ、２１Ｃおよび突起２３が一体成形される。また、吊り材１３には長さ調節溝Ｍ１、Ｍ２が一体成形される。
成形材料としては、ＡＢＳ樹脂等の適度な硬さのプラスチック材料を用いるとよい。このような材料を用いることで、吊り材１３を長さ調節溝Ｍ１、Ｍ２で折り曲げて分断しやすくなる。また、成形材料には、樹脂等のリサイクル材を使用してもよい。
【００２１】
散水パーツ２０を展示する場合、吊り材１３に散水パーツ２０を吊り下げた状態で爪枠２１Ａ、２１Ｂ、２１Ｃに冊子Ｂを保持する。このとき、冊子Ｂを札板１２の上方から下方に向けてスライドさせることにより、爪枠２１Ａ、２１Ｂ、２１Ｃの間に冊子Ｂが簡単に収まる。
商品の購入者は、散水パーツを選ぶとき、必要に応じて冊子Ｂを爪枠から取り外し、商品情報を見ることができる。これにより、散水パーツの種類と用途との適合を確認することができ、購入間違いを起こしにくい。また、散水パーツの使用時には、冊子Ｂの取扱説明等を見ることで、使用方法を誤ることなく、快適に散水パーツを使用することができる。
【００２２】
このように第１実施形態の商品タグによれば、散水パーツのパック詰めや袋詰めを行うことなく、商品の購入者に商品情報を十分に提供することができる。
また、商品タグ１０に盛り込める情報が豊富になるため、広告等の宣伝媒体として商品タグ１０を利用することも可能になる。
さらに、陳列時に冊子Ｂが購入者と反対側に向いていても、貫通窓Ｗから冊子Ｂを通して見ることができるため、購入者に冊子Ｂの存在を知らせやすい。
【００２３】
次に、本発明の他の実施形態について説明する。なお、以下に述べる他の実施形態において、前記第１実施形態と実質的に同一の構成部分には同一の符号を付し、説明を省略する。
【００２４】
本発明の第２実施形態による商品タグを図６に示す。
第２実施形態による商品タグ３０は、爪枠３１Ａ、３１Ｂ、３１Ｃに横方向から冊子Ｂを挿入するようにものである。札板１２の上下に下枠３１Ａおよび上枠３１Ｂが設けられる。図６で左側端部には左枠３１Ｃが設けられている。左枠３１に向き合う位置には、抜け止め用の突起３３が設けられている。
【００２５】
爪枠３１Ａ、３１Ｂ、３１Ｃに冊子Ｂを取り付ける場合、図６矢印に示すように、右から左方向へ冊子Ｂをスライドさせると、冊子Ｂが爪枠３１Ａ、３１Ｂ、３１Ｃの間に収まる。そして、爪枠３１Ａ、３１Ｂ、３１Ｃおよび突起３３によって、冊子Ｂの周端部が支持される。
第２実施例によれば、爪枠３１Ａ、３１Ｂ、３１Ｃの横方向に冊子Ｂをスライドさせるため、陳列棚で札板１２から冊子Ｂを出し入れするときに陳列用フック１７が邪魔になりにくい。
【００２６】
次に、本発明の第３実施形態を図７および図８に示す。
第３実施形態による商品タグ４０は、札板１２の板面に段差を設けたものである。図７に示すように、札板１２は、内板部１２ａと外板部１２ｂからなる。図７で内板部１２ａの左右両側および下側に外板部１２ｂが設けられている。
図８に示すように、内板部１２ａと外板部１２ｂとの間には段差部１２ｃが設けられる。段差部１２ｃは、内板部１２ａの下端および左右両端にほぼ均一な段差を保って外板部１２ｂに連なっている。すなわち、内板部１２ａと外板部１２ｂの板面が段差部１２ｃの距離だけ前後にズレている。
【００２７】
外板部１２ｂの下端部および左右端部には、爪枠４１Ａ、４１Ｂ、４１Ｃが設けられる。爪枠４１Ａ、４１Ｂ、４１Ｃは、札板１２の板面中央に向けて延びる。爪枠４１Ａ、４１Ｂ、４１Ｃと外板部１２ｂの板厚は均一である。爪枠４１Ａ、４１Ｂ、４１Ｃおよび段差部１２ｃに囲まれる収納スペースに冊子Ｂが保持される。
【００２８】
内板部１２ａには、図７で爪枠４１Ａ、４１Ｂ、４１Ｃと重なる位置に貫通窓Ｗが設けられる。貫通窓Ｗは、内板部１２ａから段差部１２ｃにかけて開口している（図８参照）。札板４０を射出成形する場合、これらの貫通窓Ｗに型を通して爪枠４１Ａ、４１Ｂ、４１Ｃを形成する。
【００２９】
札板４０に冊子Ｂを保持する場合、図７上方から収納スペースに冊子Ｂをスライド挿入する。すると、冊子Ｂは、段差部１２ｃ上に載り、爪枠４１Ａ、４１Ｂ、４１Ｃによって脱落が防止される。
第３実施形態によれば、冊子Ｂが段差部１２ｃに囲まれるため、冊子Ｂの保持状態がさらに安定する。
【００３０】
前記第１〜３実施形態を説明したが、本発明の実施形態はこれらの限られることなく種々の変更が可能である。例えば、爪枠の数や位置は、冊子の種類に応じて任意に変更することが可能である。また、突起の形状、位置または数を必要に応じて変更してもよい。
札板の形状は、矩形以外の多角形や円形であってもよい。札板には、掛止孔に代えて、鈎形のフック等を設けてもよい。
さらに、吊り材の係止部の外径を拡大し、この係止部に散水パーツ等の商品を直接支持することで、止めリングを省略することも可能である。吊り材の先端にクリップ等を取り付けて商品を吊り下げてもよい。
【００３１】
【発明の効果】
以上説明したように、本発明の商品用タグによれば、次のような優れた効果を奏する。
（ａ）　散水パーツ等の商品をパック詰めや袋詰めを行うことなく、簡単に吊り下げて展示することができる。
（ｂ）　商品の購入者に十分な商品情報を簡単かつ確実に提供することができる。
（ｃ）　射出成形により量産することができるため、製造コストを大幅に抑えることができる。
【図面の簡単な説明】
【図１】本発明の第１実施形態による商品タグを示す斜視図である。
【図２】図１に示す商品タグの後方部分斜視図である。
【図３】本発明の第１実施形態による商品タグを示すもので、（Ａ）は背面図、（Ｂ）は側面図である。
【図４】本発明の第１実施形態による商品タグの札板部を示す部分拡大断面図である。
【図５】本発明の第１実施形態による商品タグの吊り材を示す部分拡大断面図である。
【図６】本発明の第２実施形態による商品タグを示す斜視図である。
【図７】本発明の第３実施形態による商品タグの札板部を示す正面図である。
【図８】本発明の第３実施形態による商品タグの札板部を示す部分拡大断面図である。
【符号の説明】
１０　　商品タグ
１２　　札板
１３　　吊り材
１４Ａ、１４Ｂ、１４Ｃ　係止部
１５　　止めリング
１７　　陳列用フック
２１Ａ　下枠（爪枠）
２１Ｂ　右枠（爪枠）
２１Ｃ　左枠（爪枠）
２３　　突起
Ｂ　　冊子
Ｈ１　　掛止孔
Ｈ２　　リング孔
Ｗ　　貫通窓
【図１】
2004126243.tif 000003
【図２】
2004126243.tif 000004
【図３】
2004126243.tif 000005
【図４】
2004126243.tif 000006
【図５】
2004126243.tif 000007
【図６】
2004126243.tif 000008
【図７】
2004126243.tif 000009
【図８】
2004126243.tif 000010